(57)【要約】      （修正有）【課題】本発明は、容器の外側の形状にかかわらず、構造的な強度を強化することができる化粧品容器を提供する。【解決手段】化粧品容器の容器本体５０は、本体上部５０ｕと、本体中部５０ｔと、本体下部５０ｄと、を有し、本体上部、本体中部及び本体下部は、化粧料を格納する空間を構成する正面壁部、背面壁部、右側面壁部、左側面壁部、及び、底面壁部を構成し、容器本体の内側の形状によって規定される右側面壁部及び左側面壁部は、本体上部における厚さが前記本体中部における厚さよりも厚く構成されており、容器本体５０の内側の形状によって規定される正面壁部及び背面壁部は、本体下部５０ｄにおいて、右側面壁部及び左側面壁部と接続する側方の部分が中央部よりも薄く構成されており、本体下部５０ｄの内面において、正面壁部と右側面壁部及び左側面壁部との接続部、背面壁部と右側面壁部及び左側面壁部との接続部は曲面として構成されている。【選択図】図７
2019103620.tif 000002
【特許請求の範囲】
【請求項１】
化粧料を格納する容器本体と、前記容器本体と係合するキャップとを有する化粧品容器であって、
前記容器本体は、
前記キャップと係合する本体螺子部と、
前記本体螺子部の下方に連続して形成される本体上部と、
前記本体上部の下方に連続して形成される本体中部と、
前記本体中部の下方に連続して形成される本体下部と、
を有し、
前記本体上部、前記本体中部及び前記本体下部は、前記化粧料を格納する空間を構成する正面壁部、背面壁部、右側面壁部、左側面壁部、及び、底面壁部を構成し、
前記容器本体の内側の形状によって規定される前記右側面壁部及び前記左側面壁部は、前記本体上部における厚さが前記本体中部における厚さよりも厚く構成されており、
前記容器本体の内側の形状によって規定される前記正面壁部及び前記背面壁部は、前記本体下部において、前記右側面壁部及び前記左側面壁部と接続する側方の部分が中央部よりも薄く構成されており、
前記本体下部の内面において、前記正面壁部と前記右側面壁部及び前記左側面壁部との接続部、前記背面壁部と前記右側面壁部及び前記左側面壁部との接続部は曲面として構成されている、
化粧品容器。
【請求項２】
前記化粧品容器は、
前記正面壁部及び前記背面壁部の面積が、前記右側面壁部及び前記左側面壁部の面積よりも大きく形成されており、
正面視において、前記キャップの最上部を頂点として、前記底面壁部を底辺とし、角を丸めた二等辺三角形の形状に形成されており、
少なくとも前記容器本体が光透過性を有する材料で形成されており、
前記右側面壁部及び前記左側面壁部の厚さは、前記本体螺子部側の位置から前記本体中部側の位置に向かって、徐々に薄くなるように構成されており、
正面視において、前記本体下部は、内面の曲率半径が外面の曲率半径よりも小さい湾曲部として形成されており、前記本体中部側の位置から前記本体下部の最下部に向かって、徐々に厚くなるように構成されている、
請求項１に記載の化粧品容器。
【請求項３】
前記右側面壁部及び前記左側面壁部の厚さは、前記本体下部に近づくほど薄くなるように構成されており、かつ、前記本体中部において、前記右側面壁部及び前記左側面壁部の厚さが薄くなる程度が大きくなる減少拡大位置を有し、
前記本体中部と前記本体下部の境界部が、前記容器本体において最も壁の厚さが薄い最薄部として形成されており、
前記最薄部の内面及び外面は曲面として形成されている、
請求項２に記載の化粧品容器。
【発明の詳細な説明】
【技術分野】
【０００１】
本発明は化粧品容器に関する。
【背景技術】
【０００２】
従来、リップグロスなどの液体化粧品を格納する容器として、樹脂材料をブロー成型して製造された化粧品容器が知られている（例えば特許文献１）。
【先行技術文献】
【特許文献】
【０００３】
【特許文献１】特開２０１６−２２２２９６号公報
【発明の概要】
【発明が解決しようとする課題】
【０００４】
特許文献の図１に示されているように、従来、ブロー成型によって製造される容器の肉厚は、どの位置においてもほぼ均一であった。このため、容器に構造的な強度を付与するためには、容器に凹凸を形成するなど、容器の外側の形状を工夫する必要があった。
【０００５】
本発明は、上記を踏まえて、容器の外側の形状にかかわらず、構造的な強度を強化することができる化粧品容器を提供するものである。
【課題を解決するための手段】
【０００６】
第一の発明は、化粧料を格納する容器本体と、前記容器本体と係合するキャップとを有する化粧品容器であって、前記容器本体は、前記キャップと係合する本体螺子部と、前記本体螺子部の下方に連続して形成される本体上部と、前記本体上部の下方に連続して形成される本体中部と、前記本体中部の下方に連続して形成される本体下部と、を有し、前記本体上部、前記本体中部及び前記本体下部は、前記化粧料を格納する空間を構成する正面壁部、背面壁部、右側面壁部、左側面壁部、及び、底面壁部を構成し、前記容器本体の内側の形状によって規定される前記右側面壁部及び前記左側面壁部は、前記本体上部における厚さが前記本体中部における厚さよりも厚く構成されており、前記容器本体の内側の形状によって規定される前記正面壁部及び前記背面壁部は、前記本体下部において、前記右側面壁部及び前記左側面壁部と接続する側方の部分が中央部よりも薄く構成されており、前記本体下部の内面において、前記正面壁部と前記右側面壁部及び前記左側面壁部との接続部、前記背面壁部と前記右側面壁部及び前記左側面壁部との接続部は曲面として構成されている、化粧品容器である。
【０００７】
本体上部は、使用者が把持してキャップの取り外しと接続を行う部分であり、構造的な強度が求められる。本体下部は、化粧品容器を化粧台などの天板に置くときに、天板と接する部分であり、やはり、構造的な強度が求められる。第一の発明の構成によれば、右側面壁部及び左側面壁部の厚さは、本体上部において本体中部よりも厚く構成されており、構造的な強度が強化されている。本体下部の内面においては、所定の形状に形成された正面壁部等によって構成される曲面によって構造的な強度が強化されている。そして、内側の形状によって規定される壁の厚さによって、強度を強化しているから、化粧品容器の外側に凹凸を形成する必要はない。すなわち、容器の外側の形状にかかわらず、構造的な強度を強化することができる。
【０００８】
第二の発明は、第一の発明の構成において、前記化粧品容器は、前記正面壁部及び前記背面壁部の面積が、前記右側面壁部及び前記左側面壁部の面積よりも大きく形成されており、正面視において、前記キャップの最上部を頂点として、前記底面壁部を底辺とし、角を丸めた二等辺三角形の形状に形成されており、少なくとも前記容器本体が光透過性を有する材料で形成されており、前記右側面壁部及び前記左側面壁部の厚さは、前記本体螺子部側の位置から前記本体中部側の位置に向かって、徐々に薄くなるように構成されており、正面視において、前記本体下部は、内面の曲率半径が外面の曲率半径よりも小さい湾曲部として形成されており、前記本体中部側の位置から前記本体下部の最下部に向かって、徐々に厚くなるように構成されている、化粧品容器である。
【０００９】
第二の発明の構成は、本体下部における所定の湾曲部によって、光学作用を奏するように構成し、使用者に対して視覚的作用を及ぼすものである。すなわち、本体下部は、内面の曲率半径が外面の曲率半径よりも小さく形成され、本体下部の最下部に向かって徐々に厚くなるように構成されているから、凹メニスカスレンズと類似の光学作用を奏し、内部に格納した化粧料の像を屈折させて外部に投影する。そして、容器本体は正面視と側面視の形状が異なるから、使用者の視覚に映る化粧料の像は、使用者の視点が正面視から側面視に移行していくにつれて変化する。これにより、化粧品容器を使用して化粧を行う使用者に対して、視覚の変化による刺激を与えることができる。
【００１０】
第三の発明は、第二の発明の構成において、前記右側面壁部及び前記左側面壁部の厚さは、前記本体下部に近づくほど薄くなるように構成されており、かつ、前記本体中部において、前記右側面壁部及び前記左側面壁部の厚さが薄くなる程度が大きくなる減少拡大位置を有し、前記本体中部と前記本体下部の境界部が、前記容器本体において最も壁の厚さが薄い最薄部として形成されており、前記最薄部の内面及び外面は曲面として形成されている、化粧品容器である。
【００１１】
第三の発明の構成によれば、減少拡大位置によって、容器本体内部の曲面の曲率半径が小さくなるから、本体下部の内面の曲面と自然に接続する。これにより、化粧品容器に化粧料を格納したときに、使用者の視覚には自然な曲線状の輪郭を有するものとして映り、また、境界部において、より一層効果的に光学作用を発揮することができる。さらに、最薄部において、内面及び外面が曲面として形成されているから、強度を十分に確保することができる。
【発明の効果】
【００１２】
本発明によれば、容器の外側の形状にかかわらず、構造的な強度を強化することができる化粧品容器を提供することができる。
【図面の簡単な説明】
【００１３】
【図１】本発明の一実施形態にかかる化粧品容器の概略斜視図である。
【図２】キャップの概略斜視図である。
【図３】キャップの内部を示す概略図である。
【図４】内キャップを示す概略斜視図である。
【図５】内キャップの内部等を示す概略図である。
【図６】容器本体を示す概略斜視図である。
【図７】容器本体の内部を示す概略正面図である。
【図８】容器本体の概略断面図である。
【図９】容器本体の内部を示す概略側面図である。
【図１０】パッキンを示す概略斜視図である。
【図１１】パッキンの概略断面図等である。
【図１２】化粧品容器の内部を示す概略正面図である。
【図１３】容器本体に格納した化粧料の像の屈折状態を示す概略正面図である。
【図１４】容器本体の底部の拡大斜視図である。
【図１５】容器本体の底部の拡大側面図である。
【図１６】リップグロスを格納した状態の実施品の正面図である。
【図１７】リップグロスを格納した状態の実施品の側面図である。
【図１８】リップグロスを格納した状態の実施品の斜視図である。
【図１９】リップグロスを格納した状態の実施品の斜視図である。
【００１４】
以下、図面に基づき本発明の好適な実施形態を説明する。図１に示すように、化粧品容器１（以下、「容器１」という。）は、キャップ１０と化粧品容器本体５０（以下、「容器本体５０」という。）から構成される。容器本体５０は、容器本体の一例である。キャップ１０は、キャップの一例である。キャップ１０は螺子によって、容器本体５０と着脱自在に係合する。容器本体５０とキャップ１０は、光透過性を有する材料を使用したインジェクションブロー成型によって、形成されている。光透過性を有する材料は、例えば、ＰＥＴ（ｐｏｌｙｅｔｈｙｌｅｎｅ  ｔｅｒｅｐｈｔｈａｌａｔｅ）樹脂である。なお、光透過性を有する材料は、透明の材料であってもよいし、半透明の材料であってもよい。
【００１５】
容器本体５０には、リップグロス、マスカラ、あるいは、液体ファンデーションなどの液体の化粧料が格納される。本明細書において、キャップ１０が位置する方向を上側（上方）、容器本体５０が位置する方向を下側（下方）と呼ぶ。上側にあるほど「高い位置」、下側にあるほど「低い位置」と表現する。容器本体５０の内部を「内側」、外部を「外側」と呼ぶ。紙面手前側を「前側」、紙面裏側を「後側」と呼ぶ。内側及び後側と直交する方向を紙面手前側から見て「左側」、「右側」と呼ぶ。
【００１６】
図１に示すように、容器１は、正面壁部５２Ａの面積が右側面壁部５２Ｃの面積よりも大きい扁平形状に形成されている。背面壁部５２Ｂと左側面壁部５２Ｄ（図８等参照）の面積の関係も同様である。そして、容器１は、正面視において、キャップ１０の最上部１０ｄを頂点として、底面壁部５２Ｅを底辺とし、角を丸めた二等辺三角形の形状に形成されている。容器１は、前後左右方向において対称の形状に形成されており、図１とは反対の裏面方向からの斜視図も、図１と同様である。容器１の側面視の形状は、角を丸めた長方形の形状である（図１７参照）。
【００１７】
キャップ１０の正面部１０ａは平坦であり、曲面部１０ｂによって、側面部１０ｃと連続している。同様に、容器本体５０の正面部５２ａは平坦であり、曲面部５２ｂによって、側面部５２ｃと連続している。
【００１８】
図２及び図３に示すように、キャップ１０の底部１０ｅには開口部が形成されており、開口部と連続して空間Ｓ１（図３参照）が形成されている。空間Ｓ１の内面１０ｆに、図４に示す内キャップ２０が固定される。
【００１９】
図４に示すように、内キャップ２０の外面２２は、縦長の突条部２２ａ及び２２ｂ、及び、横長の突条部２２ｃが形成されており、キャップ１０の空間Ｓ１の内壁１０ｆに形成された溝部（図示せず）と係合するように構成されている。図５に示すように、内キャップ２０の底部２２ｆには開口部が形成されており、開口部に連続して空間Ｓ２が形成されている。空間Ｓ２の内壁２２ｇには雌螺子２２ａが形成されている。
【００２０】
図４及び図５に示すように、内キャップ２０の底部２２ｆの外周底面には、傾斜突起部２２ｅ及び２２ｄが形成されている。傾斜突起部２２ｅと２２ｄの間（図４参照）に、容器本体部５０の係止用突起部５２ｉ（図６参照）が着脱自在に係合するようになっている。
【００２１】
図６に示すように、容器本体５０は、本体部５０ａと本体螺子部５０ｂで構成される。
本体螺子部５０ｂがキャップ１０と係合する。本体部５０ａは、本体螺子部５０ｂの下方に連続して形成される本体上部５０ｕと、本体上部５０ｕの下方に連続して形成される本体中部５０ｔと、本体中部５０ｔの下方に連続して形成される本体下部５０ｄから構成される。本体上部５０ｕ、本体中部５０ｔ及び本体下部５０ｄは、化粧料１００（図１３、図１６乃至図１９参照）を格納する空間Ｓ４（図１３参照）を構成する正面壁部５２Ａ、背面壁部５２Ｂ、右側面壁部５２Ｃ、左側面壁部５２Ｄ、及び、底面壁部５２Ｅを構成する（図７乃至図９参照）。
【００２２】
本体螺子部５０ｂは、円筒部５２ｆと、円筒部５２ｆに形成される雄螺子５２ｇで構成される。円筒部５２ｆの内部には、円筒状のパッキン７０（図１０及び図１１参照）が配置される。本体部５０ａの肩部５２ｅと円筒部５２ｆに接して、係止用突起部５２ｉが形成されている。
【００２３】
ここで、パッキン７０について説明する。図１０及び図１１に示すように、パッキン７０は、全体として円筒形状に形成されており、パッキン本体部７０ａと拡径部７０ｂで構成される。パッキン本体部７０ａはパッキン本体部の一例である。パッキン本体部７０ａの外周面７０ａａには、環状の凸部７０ａ１及び７０ａ２が形成されており、円筒部５２ｆの内側へ固定しやすくなっている。
【００２４】
拡径部７０ｂは、上端部（開口端部）７０ｂａ、傾斜部７０ｂｂ、外側傾斜部７０ｂｃ及び下端部７０ｂｄで構成される。上端部７０ｂａは、開口端部の一例である。傾斜部７０ｂｂは傾斜部の一例である。
【００２５】
パッキン７０は、上端部７０ｂａの直径がパッキン本体部７０ａの外周面の直径よりも大きい円筒形状に構成されている。傾斜部７０ｂｂは、パッキン本体部７０ａ内の空間７０Ｓ１への入口部７０ａｂから上端部７０ｂａへ向かって、放物線状に次第に拡径する形状に構成されている。傾斜部７０ｂｂの終端部が上端部７０ｂａである。
【００２６】
上端部７０ｂａは、パッキン本体部７０ａを構成する壁部の外面（外周面７０ａａ）よりも外側に位置する（図１１参照）。すなわち、上端部７０ｂａの直径ｄＢは、パッキン本体部７０ａの外周面７０ａａの最大径ｄＡよりも大きい。
【００２７】
パッキン７０は、弾性を有する樹脂材料で形成される。弾性を有する材料は、例えば、ポリエチレン（ｐｏｌｙｅｔｈｙｌｅｎｅ）である。キャップ１０と本体部５０が係合すると、パッキン７０は、内キャップ２０の空間Ｓ２（図５参照）の天井部近傍に押し当てられるようにして密着する。化粧料１００を外部から隔離し、容器本体５０内にしっかりと格納しておくことができる。
【００２８】
パッキン７０の下側開口部７０ａｃの直径ｄＣは、ブラシ２６の直径よりもわずかに小さい。これにより、化粧料が付着したブラシ２６をパッキン７０から引き出すときに、余分な化粧料がパッキン７０の下側開口部７０ａｃにおいて落とされる。すなわち、下側開口部７０ａｃは、ブラシ２６に付着する化粧料の量を調整する調節機構の一例である。
【００２９】
パッキン７０が円筒部５２ｆに押し入れられると、パッキン７０の外周面７０ａａが円筒部５２ｆの内周面に接し、固定される。パッキン７０の拡径部７０ｂの下端部７０ｂｄが、円筒部５２ｆの開口端部に接した状態で、パッキン７０は円筒部５２ｆに固定される。
【００３０】
容器１の特徴は、外側の形状に関わらず、内側の形状によって、壁の厚さ及び形状を規定し、これにより、構造上の強度を強化していることである。また、複数種類のレンズ類似の形状を組合せることによって、光学作用を奏し、使用者に対して視覚的な刺激を与えるものである。以下、詳細に説明する。
【００３１】
図７は、容器本体５０の本体部５０ａの内部を示す。右側面壁部５２Ｃ及び左側面壁部５２Ｄの厚さは、本体螺子部５０ｂ（図６参照）側の位置から本体中部５０ｔ側の位置に向かって徐々に薄くなるように構成されており、本体上部５０ｕにおける厚さが本体中部５０ｔにおける厚さよりも厚くなっている。これにより、本体上部５０ｕの構造上の強度が強化されている。
【００３２】
上述のように、容器１の正面視の外形は角を丸めた二等辺三角形の形状に形成されており、壁の厚さは、容器５０の内側の形状によって規定される。このことは、容器本体５０の外側の形状と内側の形状が相似形状ではないことを意味し、本体中部５０ｔ及び本体下部５０ｄにおいても同様である。
【００３３】
本体螺子部５０ｂ側の左側面壁部５２Ｄ（５２Ｃ）の厚さｔ１ａは、本体上部５０ｕと本体中部５０ｔの境界部５０ｐ１の壁の厚さｔ１ｂよりも厚く構成されている。
【００３４】
図７に示すように、本体下部５０ｄにおいて、最低部の壁の厚さｔ１ｅは、本体中部５０ｔ側（後述の位置５０ｐ３側）の壁の厚さよりも厚く構成されている。これにより、本体下部５０ｄの構造上の強度が強化されている。
【００３５】
また、本体下部５０ｄは、内面の曲率半径が外面の曲率半径よりも小さい湾曲部として形成されており、本体中部５０ｔ側の位置から本体下部５０ｄの最低部に向かって、徐々に厚くなるように構成されている。すなわち、本体中部５０ｔと本体下部５０ｄの境界部５０ｐ３から底面壁部５２Ｅの平坦形状が開始する位置５０ｐ４までの間は、凹メニスカスレンズに類似の形状に構成されている。
【００３６】
図８は、図７の容器本体５０のＡ−Ａ線概略断面図（図８（ａ））、Ｂ−Ｂ線概略断面図（図８（ｂ））、Ｃ−Ｃ線概略断面図（図８（ｃ））及びＤ−Ｄ線概略断面図（図８（ｄ））である。本体上部５０ｕの断面における正面壁部５２Ａ及び背面壁部５２Ｂの内面５２ｓ１は平坦である。これに対して、本体中部５０ｔの内面５２ｓ２及び５２ｓ３、及び、本体下部５０ｄの内面５２ｓ４は、右側面壁部５２Ｃ及び左側面壁部５２Ｄと接続する側方の部分が中央部よりも薄く構成されている。すなわち、本体中部５０ｔの内面５２ｓ２及び５２ｓ３、及び、本体下部５０ｄの内面５２ｓ４は、内側に向かって凸状の曲面である。これにより、本体中部５０ｔ及び本体下部５０ｄの構造上の強度が強化されている。
【００３７】
本体中部５０ｔの内面５２ｓ２及び５２ｓ３、及び、本体下部５０ｄの内面５２ｓ４において、正面壁部５２Ａと右側面壁部５２Ｃ及び左側面壁部５２Ｄとの接続部Ｅ１及びＥ２、背面壁部５２Ｂと右側面壁部５２Ｃ及び左側面壁部５２Ｄとの接続部Ｅ３及びＥ４は、凹状の曲面として構成されている。また、四隅の部分Ｅ１乃至Ｅ４においては、内面の曲率半径が外面の曲率半径よりも小さく構成されている。これにより、凹メニカスレンズ類似の形状を形成している。この形状によって、内部に格納された化粧料１００の像は、正面及び裏面から側方に拡散し、あたかも、右側面壁部５２Ｃ及び左側面壁部５２Ｄが存在しないかのような像を形成する（図１６参照）。
【００３８】
本体下部５０ｄの内面は、正面視（図７参照）においても側面視（図９参照）においても、中央の最低部５０ｑを除き、曲面として形成されている。すなわち、位置５０ｐ３から位置５０ｐ４にかけて、正面視と側面視の双方において曲面として形成されている。
【００３９】
図７に示すように、右側面壁部５２Ｃ及び左側面壁部５２Ｄの厚さは、本体下部５０ｄに近づくにつれて薄くなるように構成されており、かつ、本体中部５０ｔの壁の厚さが減少していく程度が大きくなる減少率増加位置５０ｐ２（以下、「位置５０ｐ２」ともいう。）が形成されている。本体上部５０ｕと本体中部５０ｔにおいて、下方に向かって、一定の減少率の壁が薄くなっているのであるが、位置５０ｐ２において、減少率が変わり、減少率が大きくなる。これにより、本体下部５０ｄの内面を形成する曲面と一体の曲面を形成することができ、容器１に化粧料１００を格納したときに、自然な曲線の像として、使用者の視覚に映るようになっている。
【００４０】
本体中部５０ｔと本体下部５０ｄの境界部５０ｐ３（以下、「位置５０ｐ３」ともいう。）が、容器本体５０において最も右側面壁部５２Ｃ及び左側面壁部５２Ｄの壁の厚さが薄い最薄部として形成されている。最薄部の厚さは厚さｔ１ｄである。位置５０ｐ３を中心とする部分（位置５０ｐ２から位置５０ｐ４にかけての位置）の内面及び外面は曲面として形成されている。内面の曲面の曲率半径は外面の曲面の曲率半径よりも小さい。すなわち、外面は、内面の曲面との相対的関係において、平坦に近く、凹メニスカスレンズに類似の形状を形成している。曲率半径の相違は、位置５０ｐ３から位置５０ｐ４にかけての部分において、より大きい。このため、内部に格納した化粧料の像が外部に投影するときに、凹メニスカスレンズに類似の光学的作用を奏し、この効果は、位置５０ｐ３から位置５０ｐ４にかけての部分において、顕著に現れるようになっている。
【００４１】
図９は、本体容器５０の本体部５０ａの側面視における断面図である。図９に示すように、本体上部５０ｕから本体中部５０ｔの位置５０ｐ２までは、正面壁部５２Ａ及び背面壁部５２Ｂの壁の厚さが、徐々に薄くなっており、本体上部５０ｕの部分における厚さｔ２ａは、本体中部５０ｔの部分における厚さｔ２ｂよりも厚い。そして、本体中部５０ｔの位置５０ｐ２から位置５０ｐ３にかけて、正面壁部５２Ａ及び背面壁部５２Ｂの内面は凹状の曲面を形成し、位置５０ｐ３における壁の厚さｔ２ｃが、最も薄く構成されている。本体下部５０ｄの内面は、位置５０ｐ３から、本体下部５０ｄの位置５０ｐ４にかけて、曲面を形成している。
【００４２】
容器１において、以上のように構成された、キャップ１０、容器本体５０、パッキン７０及び内キャップ２０は、図１２に示すように配置される。
【００４３】
以下、容器１に化粧料１００が格納された状態を説明する。図１３に示すように、容器１の内部空間Ｓ４に格納された化粧料１００の像を示す光は、本体下部５０ｄ近傍において、本体下部５０ｄが上記の曲面形状に構成されていることによって、矢印Ｌ１に示す方向から矢印Ｌ２に示す方向（特に下方）に拡散する。使用者の視点を容器１の正面から側面に移動させていくと、図１４に示すように、化粧料１００の像の最下部は正面の位置５０ｑから、位置５０ｑ１、５０ｑ２、５０ｑ３というように下方に移動し、図１５に示すように、側面視において、底面壁部５０Ｅの最低部に極めて近い位置５０ｑｘに移動する。
【００４４】
次に、図１６乃至図１９を参照して、容器１に化粧料を格納した実施例について説明する。図１６に示す容器本体５０の正面視において、本体上部５０ｕ及び本体中部５０ｔは、透明の壁が容器本体５０の上側から下側へ向かって、徐々に薄くなり、右側面壁部５２Ｃ及び左側面壁部５２Ｄが細長い逆三角形のように使用者の視覚に映る。逆三角形の頂点が、本体中部５０ｔの位置５０ｐ２近傍になる。そして、本体中部５０ｔと本体下部５０ｄの位置５０ｐ３において、使用者の視覚には化粧料１００が拡散して映り、右側面壁部５２Ｃ及び左側面壁部５２Ｄが存在しないかのように映るという効果を奏する。化粧料１００は底面壁部５２Ｅの内面の最低部５０ｑの位置まで使用者の視覚に映り、位置５０ｐ４までは、厚さｔ１ｅの底面壁部５２Ｅが透明の部分として使用者の視覚に映る。
【００４５】
図１７に示す容器本体５０の側面視において、透明の正面壁部５２Ａ及び背面壁部５２Ｂは、徐々に薄くなり、細長い逆三角形のように使用者の視覚に映る。細長い逆三角形の頂点は閉じないように見える。他方、使用者の視覚に映る化粧料１００は、本来化粧料の入っている底面壁部５２Ｅの内面の最低部５０ｑを超えて、位置５０ｐ４の近傍位置５０ｑｘまで見える。この視覚的効果は、化粧料１００の像として上述の本体下部５０ｄの形状によるものである。
【００４６】
続いて、構造上の強化、及び、光学的作用以外の作用について説明する。図１４に示すように、本体下部５２ｄの内面は、最低部５０ｑを除き、正面視においても側面視においても曲面として形成され、かつ、角になっている隅がないから、内部に格納した化粧料１００の量が少なくなってきた場合であっても、容器１を立てておくと、化粧料１００は、隅に残ってしまうようなことなく、重力の作用によって底面壁部５２Ｅの最低部５０ｑに移動する。そして、使用者によって容器１が傾けられると、化粧料１００は本体下部５２ｄの曲面を介して、上方に移動するから、化粧料１００を無駄なく使用することができる。
【００４７】
また、容器１において右側面壁部５２Ｃ及び左側面壁部５２Ｄの面積が小さいことによって、化粧ポーチなどに格納するときに嵩張ることはない。さらに、容器１が二等辺三角形の形状であり、底面壁部５２Ｅの最下部の面は平坦であり、自立するから、化粧料１００が少なくなってきた場合においても、倒れることなく、立てておくことがきできる。
【００４８】
なお、本発明の化粧品容器は、上記実施形態に限らず、本発明の要旨を逸脱しない範囲内において種々変更を加えることができる。
【符号の説明】
【００４９】
１    化粧品容器
１０  キャップ
２０  内キャップ
５０  容器本体
７０  パッキン
【図１】
2019103620.tif 000003
【図２】
2019103620.tif 000004
【図３】
2019103620.tif 000005
【図４】
2019103620.tif 000006
【図５】
2019103620.tif 000007
【図６】
2019103620.tif 000008
【図７】
2019103620.tif 000009
【図８】
2019103620.tif 000010
【図９】
2019103620.tif 000011
【図１０】
2019103620.tif 000012
【図１１】
2019103620.tif 000013
【図１２】
2019103620.tif 000014
【図１３】
2019103620.tif 000015
【図１４】
2019103620.tif 000016
【図１５】
2019103620.tif 000017
【図１６】
2019103620.tif 000018
【図１７】
2019103620.tif 000019
【図１８】
2019103620.tif 000020
【図１９】
2019103620.tif 000021
【手続補正書】
【提出日】平成31年1月28日(2019.1.28)
【手続補正１】
【補正対象書類名】特許請求の範囲
【補正対象項目名】全文
【補正方法】変更
【補正の内容】
【特許請求の範囲】
【請求項１】
化粧料を格納する容器本体と、前記容器本体と係合するキャップとを有する化粧品容器であって、
前記容器本体は、
前記キャップと係合する本体螺子部と、
前記本体螺子部の下方に連続して形成される本体上部と、
前記本体上部の下方に連続して形成される本体中部と、
前記本体中部の下方に連続して形成される本体下部と、
を有し、
前記本体上部、前記本体中部及び前記本体下部は、前記化粧料を格納する空間を構成する正面壁部、背面壁部、右側面壁部、左側面壁部、及び、底面壁部を構成し、
前記容器本体の内側の形状によって規定される前記右側面壁部及び前記左側面壁部は、前記本体上部における厚さが前記本体中部における厚さよりも厚く構成されており、
前記容器本体の内側の形状によって規定される前記正面壁部及び前記背面壁部は、前記本体下部において、前記右側面壁部及び前記左側面壁部と接続する側方の部分が中央部よりも薄く構成されており、
前記本体下部の内面において、前記正面壁部と前記右側面壁部及び前記左側面壁部との接続部、前記背面壁部と前記右側面壁部及び前記左側面壁部との接続部は曲面として構成されており、
さらに、前記化粧品容器は、
前記正面壁部及び前記背面壁部の面積が、前記右側面壁部及び前記左側面壁部の面積よりも大きく形成されており、
正面視において、前記キャップの最上部を頂点として、前記底面壁部を底辺とし、角を丸めた二等辺三角形の形状に形成されており、
少なくとも前記容器本体が光透過性を有する材料で形成されており、
前記右側面壁部及び前記左側面壁部の厚さは、前記本体螺子部側の位置から前記本体中部側の位置に向かって、徐々に薄くなるように構成されており、
正面視において、前記本体下部は、内面の曲率半径が外面の曲率半径よりも小さい湾曲部として形成されており、前記本体中部側の位置から前記本体下部の最下部に向かって、徐々に厚くなるように構成されている、
化粧品容器。
【請求項２】
前記右側面壁部及び前記左側面壁部の厚さは、前記本体下部に近づくほど薄くなるように構成されており、かつ、前記本体中部において、前記右側面壁部及び前記左側面壁部の厚さが薄くなる程度が大きくなる減少拡大位置を有し、
前記本体中部と前記本体下部の境界部が、前記容器本体において最も壁の厚さが薄い最薄部として形成されており、
前記最薄部の内面及び外面は曲面として形成されている、
請求項１に記載の化粧品容器。
【請求項３】
化粧料を格納する容器本体と、前記容器本体と係合するキャップとを有する化粧品容器であって、
前記容器本体は、
前記キャップと係合する本体螺子部と、
前記本体螺子部の下方に連続して形成される本体上部と、
前記本体上部の下方に連続して形成される本体中部と、
前記本体中部の下方に連続して形成される本体下部と、
を有し、
前記本体上部、前記本体中部及び前記本体下部は、前記化粧料を格納する空間を構成する正面壁部、背面壁部、右側面壁部、左側面壁部、及び、底面壁部を構成し、
前記容器本体の内側の形状によって規定される前記右側面壁部及び前記左側面壁部は、前記本体上部における厚さが前記本体中部における厚さよりも厚く構成されており、
前記容器本体の内側の形状によって規定される前記正面壁部及び前記背面壁部は、前記本体上部から前記本体下部へ向かうにつれて、中央部の厚さが前記右側面壁部及び前記左側面壁部と接続する側方の部分の厚さよりも厚くなる程度が大きくなるように構成されており、
前記本体下部の内面において、前記正面壁部と前記右側面壁部及び前記左側面壁部との接続部、前記背面壁部と前記右側面壁部及び前記左側面壁部との接続部は曲面として構成されている、
化粧品容器。
【請求項４】
化粧料を格納する容器本体と、前記容器本体と係合するキャップとを有する化粧品容器であって、
前記容器本体は、
前記キャップと係合する本体螺子部と、
前記本体螺子部の下方に連続して形成される本体上部と、
前記本体上部の下方に連続して形成される本体中部と、
前記本体中部の下方に連続して形成される本体下部と、
を有し、
前記本体上部、前記本体中部及び前記本体下部は、前記化粧料を格納する空間を構成する正面壁部、背面壁部、右側面壁部、左側面壁部、及び、底面壁部を構成し、
前記容器本体の内側の形状によって規定される前記右側面壁部及び前記左側面壁部は、前記本体上部から前記本体下部に近づくにつれて厚さが薄くなるように構成されており、
前記容器本体の内側の形状によって規定される前記正面壁部及び前記背面壁部の中央部の厚さは、前記本体上部から前記本体下部に近づくにつれて厚くなるように構成されており、
前記本体下部の内面において、前記正面壁部と前記右側面壁部及び前記左側面壁部との接続部、前記背面壁部と前記右側面壁部及び前記左側面壁部との接続部は曲面として構成されている、
化粧品容器。
【手続補正書】
【提出日】平成31年3月29日(2019.3.29)
【手続補正１】
【補正対象書類名】特許請求の範囲
【補正対象項目名】全文
【補正方法】変更
【補正の内容】
【特許請求の範囲】
【請求項１】
化粧料を格納する容器本体と、前記容器本体と係合するキャップとを有する化粧品容器であって、
前記容器本体は、
前記キャップと係合する本体螺子部と、
前記本体螺子部の下方に連続して形成される本体上部と、
前記本体上部の下方に連続して形成される本体中部と、
前記本体中部の下方に連続して形成される本体下部と、
を有し、
前記本体上部、前記本体中部及び前記本体下部は、前記化粧料を格納する空間を構成する正面壁部、背面壁部、右側面壁部、左側面壁部、及び、底面壁部を構成し、
前記容器本体の内側の形状によって規定される前記右側面壁部及び前記左側面壁部は、前記本体上部における厚さが前記本体中部における厚さよりも厚く構成されており、
前記容器本体の内側の形状によって規定される前記正面壁部及び前記背面壁部は、前記本体下部において、前記右側面壁部及び前記左側面壁部と接続する側方の部分が中央部よりも薄く構成されており、
前記本体下部の内面において、前記正面壁部と前記右側面壁部及び前記左側面壁部との接続部、前記背面壁部と前記右側面壁部及び前記左側面壁部との接続部は曲面として構成されており、
さらに、前記化粧品容器は、
前記正面壁部及び前記背面壁部の面積が、前記右側面壁部及び前記左側面壁部の面積よりも大きく形成されており、
正面視において、前記キャップの最上部を頂点として、前記底面壁部を底辺とし、角を丸めた二等辺三角形の形状に形成されており、
少なくとも前記容器本体が光透過性を有する材料で形成されており、
前記右側面壁部及び前記左側面壁部の厚さは、前記本体螺子部側の位置から前記本体中部側の位置に向かって、徐々に薄くなるように構成されており、
正面視において、前記本体下部は、内面の曲率半径が外面の曲率半径よりも小さい湾曲部として形成されており、前記本体中部側の位置から前記本体下部の最下部に向かって、徐々に厚くなるように構成されている、
化粧品容器。
【請求項２】
前記右側面壁部及び前記左側面壁部の厚さは、前記本体下部に近づくほど薄くなるように構成されており、かつ、前記本体中部において、前記右側面壁部及び前記左側面壁部の厚さが薄くなる程度が大きくなる減少拡大位置を有し、
前記本体中部と前記本体下部の境界部が、前記容器本体において最も壁の厚さが薄い最薄部として形成されており、
前記最薄部の内面及び外面は曲面として形成されている、
請求項１に記載の化粧品容器。